(57)【要約】      （修正有）【課題】樹齢５０年以上の日本杉赤身板を自然乾燥し、上下を木口面に円柱状に削った直径８ｍｍ、長さ２０ｍｍ木口面片と羽根布団を封入した安眠枕、携帯用安眠枕及び木口面片を封入した香り袋を提供する。【解決手段】樹液成分を含む杉赤身板を自然乾燥し、木口を上下面とする円柱状に加工された木片を複数個内包する布製袋を複数個並べて布製袋内部に縫い付け、さらに羽布団を封入し安眠枕及び携帯用安眠枕を作製する。また、樹液成分を含む杉赤身板を自然乾燥し、木口を上下面とする円柱状に加工された木片を布製袋及びネット状袋に複数個封入し、香り、脱臭、防カビ、除虫、調湿を目的とする香り袋としても良い。【選択図】図１
0003173933.tif 000002
【実用新案登録請求の範囲】
【請求項１】
樹液成分を含む杉赤身板を自然乾燥し、木口を上下面とする円柱状に加工された木片を複数個内包する布製袋を複数個並べて布製袋内部に縫い付け、さらに羽布団を封入したことを特徴とする安眠枕及び携帯用安眠枕。
【請求項２】
樹液成分を含む杉赤身板を自然乾燥し、木口を上下面とする円柱状に加工された木片を布製袋及びネット状袋に複数個封入し、香り、脱臭、防カビ、除虫、調湿を特徴とする香り袋。
【考案の詳細な説明】
【技術分野】
【０００１】  この考案は樹齢５０年以上の日本杉赤身板を自然乾燥し、上下を木口面に円柱状に削った直径８ｍｍ、長さ２０ｍｍ木口面片と羽根布団を封入した安眠枕、携帯用安眠枕及び木口面片を封入した香り袋製作に関する。
【背景技術】
【０００２】  日本杉赤身木口面片入り安眠枕は、図１に示すように、自然乾燥した直径８ｍｍ、長さ２０ｍｍ円柱状の杉赤身木口面片４２０ｇを分割して大きさの異なる布製袋に充填し、これらの袋を枕内側の適所に縫い付け、羽布団を封入したものである。
携帯用安眠枕は、図２に示すように、自然乾燥した直径８ｍｍ、長さ２０ｍｍ円柱状の杉赤身木口面片１１０ｇを分割して異なる布製袋に充填し、これらを枕内側に縫い付け、羽布団を封入したものである。
香り袋は、図３に示すように、自然乾燥した直径８ｍｍ、長さ２０ｍｍ円柱状杉赤身木口面片を布製袋又はネット状袋に封入したものである。
【先行技術文献】
【実用新案登録文献】
【０００３】  なし
【非実用新案登録文献】
【０００４】
【非実用新案文献１】
Ｔｕｓｉｎｏ，Ｙ．，Ｗａｒａｓｈｉｎａ，Ｍ．，Ｍｏｒｉｏｋａ，Ｊ．，Ｔａｋｅｎａｋａ，Ｎ．，Ｂａｎｄｏｗ，Ｈ．，Ｍａｅｄａ，Ｙ．：Ｇｌｏｂａｌ  Ｅｎｖｉｒｏｎｍｅｎｔａｌ  Ｒｅｓｅａｒｃｈ  ４，８９−９４（２０００）。
【非実用新案文献２】
Ｔｕｓｉｎｏ，Ｙ．，Ｏｈｉｒａ，Ｋ．，Ｍａｅｄａ，Ｙ．，Ｍａｔｓｕｍｏｔｏ，Ｍ．，Ｙｏｏ，Ｙ．Ｅ．ｅｔ  ａｌ．：１２ｔｈ  Ｗｏｒｌｄ  Ｃｌｅａｎ  Ａｉｒ  ＆  Ｅｎｖｉｒｏｎｍｅｎｔａｌ  Ｃｏｎｇｒｅｓｓ  ａｎｄ  Ｅｘｈｉｂｉｔｉｏｎ，２６−３１，Ａｕｇｕｓｔ２００１，Ｓｅｏｕｌ，Ｋｏｒｅａ（２００１）。
【考案の概要】
【考案が解決しようとする課題】
【０００５】  日本杉には  ▲１▼抗ウィルス、抗菌、防虫、防カビ、調湿効果  ▲２▼窒素酸化物、二酸化硫黄、オゾン、アンモニア、アルデヒド、低級カルボン酸などを吸収・分解する空気浄化作用  ▲３▼人に対してリラックスや安眠を与える沐浴効果、鎮静効果、自律神経調整効果などがあることが、科学的及び経験的に知られている。
これらの効果は、日本杉が自己防衛のために持つリグニン及びポリフェノールなどを含む樹液に起因し、有効成分フィトントチッドを含む樹液は樹齢の高いほど、また赤身部分に多く含まれる。これらの効果は、樹齢５０年以上の杉おいては木口面道管を通して、数十年間も発揮されることが科学的にわかっている。
杉チップや鉋屑を封入した枕は古くから使用されている。しかし、木材を細分すると、木材の細胞が破壊され、木材はもろく機械的に破壊されやすくなる。その結果、枕などは型崩れしやすく、有効成分の放出期間は短くなる。
これらの問題を解決し、杉分泌物の効果を健康目的に最大限に利用するため、樹齢５０年以上の杉赤身板を自然乾燥し、上下を木口面に円柱状に削った堅牢な直径８ｍｍ、長さ２０ｍｍ木口面片を作り、これを封入した安眠枕、携帯用安眠枕及び香り袋を製作することを課題とする。
【課題を解決するための手段】
【０００６】  杉赤身木口面片入り安眠枕
▲１▼樹齢５０年以上の日本杉赤身部分から長さ１，５００〜２，０００ｍｍ、幅１００ｍｍ、厚さ２５ｍｍの板を取り、日影で２ヶ月間自然乾燥する。
▲２▼杉赤身板から、機械で上下を木口面にした直径８ｍｍ、長さ２０ｍｍの円柱の木口面片を作製する（図１  杉赤身木口面片  写真）。
▲３▼枕用綿布袋及び必要な木口面片封入用綿布袋を作る（図１  綿布袋）。
▲４▼枕綿布袋の内側の木口面片入り布袋を縫い付ける面（上部）に緩衝用布を縫い付ける。
▲５▼枕内部の両側に木口面片１１０ｇ入り用袋を縦にそれぞれ１個、８４ｇ入り用袋１個及び５４ｇ入り用袋２個を中央部に横列に縫い付ける（図１  設計図）。
▲６▼それぞれの袋に木口面片１１０ｇ、８４ｇ、５４ｇを封入する。封入した木口面片総重量は４２０ｇである。
▲７▼枕内に９００ｇ羽布団と３００ｇ羽布団を２段に封入し、枕の形を整える（図１  安眠枕  写真）。羽布団の組み合わせで、高さを４段階に調節でき、利用者の身体に合う高さにする。
以上の行程で、寝付きの悪い人、ストレスを強く受ける人、病弱者などに対し、快適な睡眠をもたらす安眠枕を作る。【０００７】  杉赤身木口面片入り携帯用安眠枕
▲１▼［０００６］▲１▼〜▲２▼に示す方法で作製した木口面片を使用する（図２  杉赤身木口面片  写真）。
▲２▼枕用綿布袋及び必要な木口面片封入用綿布袋を作る（図２  綿布袋）。
▲３▼枕内部の両側に木口面片２５ｇ入り用袋を縦列にそれぞれ１個、２０ｇ入り用袋３個を中央部に縦列に縫い付ける（図２  設計図）。
▲５▼それぞれの袋に木口面片２５ｇ及び２０ｇを封入する。封入した木口面片総重量は１１０ｇである。
▲６▼枕内に羽布団を封入し、枕の形を整える（図２  携帯用安眠枕  写真）。
▲７▼枕カバーに伸縮バンドを装着し、飛行機及び電車座席ヘッドレストに固定できるようにする（図２  枕カバー  写真）。
以上の行程で、長期旅行者に快適な睡眠をもたらす携帯安眠枕を作る。【０００８】  杉赤身木口面片入り香り袋
▲１▼［０００６］▲１▼〜▲２▼に示す方法で製作した木口面片を使用する（図３  写真）
▲２▼用途に応じそれぞれ大きさの異なる布袋及びネット状袋に木口面片１５〜１５０ｇ封入する（図３  香り袋  写真）。
以上の行程で、香り、脱臭、防カビ、除虫、調湿効力をもつ香り袋を作る
【考案の効果】
【０００９】  安眠枕は、枕の左右に縦に木口面片１１０ｇ封入袋を縫い付け、中央部に木口面片５８ｇ封入袋２個、木口面片８４ｇ封入袋を横に並べて縫い付け、低反発の９００ｇ羽布団と３００ｇ羽布団を重ねて封入することで、▲１▼頭及び首を優しく包み、圧迫感がない、▲２▼頸椎部に空間を作らず、首の自然なカーブを維持する、▲３▼寝返りを打っても枕の高さが変わらない、▲４▼枕の型崩れがしない、▲６▼通気性が良く、抗菌、防虫、防カビ効果により衛生的であるなどの特性を持つ。
また、９００ｇ羽布団と３００羽布団の組み合わせで枕の高さを４段階に調節できるので、利用者に合った高さを選択することができる。
杉赤身木口面片から沐浴効果、鎮静効果、自律神経調整作用のある成分フィトンチッドが放出されるため、身体がリラックスし、安眠が得られる。
杉木口面片４２０ｇの木口総面積は、直径４０ｃｍ木口面株の面積に相当し、有効成分が頭を包むのに十分であると考えられた。【００１０】  携帯用安眠枕は、木口面片１１０ｇと羽布団を封入したものであるが、上記安眠枕と同様、衛生的であり、身体をリラックスさせ、安眠を誘う。丸めると小さくなり、旅行用バッグなどに容易に収納することができる。旅行先宿舎の枕の上あるいは下側に敷いて使用する。旅行中、航空機及び電車座席ヘッドレストに装着することもできる。軽くて丸めて小さくできるので携帯に便利である。【００１１】  香り袋は、布製袋及びネット状袋に木口面片１５〜１５０ｇを封入したものである。ハンドバッグ、カバン、本箱、洋服ダンス、米櫃、下駄箱及びブーツなどの内部に入れ、香り維持、脱臭、防カビ、除虫、調湿及び空気清浄効果をもたらす。必要に応じ複数個を使用する。利用範囲は広い。
高樹齢杉赤身は、保存環境が良ければ、有効成分フィトンチッドを数十年にわたって放出することが科学的にわかっている。奈良正倉院御物を１２００年間健全に保存してきた杉唐櫃は現在もその効力を継続している。
【図面の簡単な説明】
【００１２】
【図１】杉赤身木口面片入り安眠枕の設計図、直径８ｍｍ、長さ２０ｍｍ杉赤身木口面片、杉赤身木口面片入り綿布袋及び杉赤身木口面片と羽布団を封入した安眠枕の試作例の平・断面図と写真図である。
【図２】杉赤身木口面片入り携帯安眠枕の設計図、直径８ｍｍ、長さ２０ｍｍ杉赤身木口面片、杉赤身木口面片入り綿布袋及び杉赤身木口面片と羽布団を封入した携帯用安眠枕の試作例の平・断面図と写真図である。
【図３】直径８ｍｍ、長さ２０ｍｍ杉赤身木口面片及び杉赤身木口面片を布製袋及びネット袋に封入した香り袋試作例の写真である。
【考案を実施するための形態】
この考案の実施形態を図１、図２及び図３に示す。
【００１３】  木口面片入り安眠枕（図１）
▲１▼樹齢５０年以上の日本杉赤身部分から長さ１，５００〜２，０００ｍｍ、幅１００ｍｍ、厚さ２５ｍｍの板を取り、日影で２ヶ月間自然乾燥する。
▲２▼杉赤身板から、機械で上下を木口面にした直径８ｍｍ、長さ２０ｍｍの円柱状木口面片を作製する（図１  写真）。
▲３▼枕用綿布袋及び必要な木口面片封入用綿布袋を作る（図１  枕裏面  写真）。
▲４▼枕綿布袋の内側の木口面片入り布袋を縫い付ける面（上部）に緩衝用布を縫い付ける。
▲５▼枕内部の両側に木口面片１１０ｇ入り用袋を縦列にそれぞれ１個、８４ｇ入り用袋１個、５４ｇ入り用袋２個を中央部に横列に縫い付ける（図１  設計図）。
▲６▼それぞれの袋に木口面片１１０ｇ、８４ｇ、５４ｇを封入する。封入する木口面片総重量は４２０ｇである。
▲７▼枕内に９００ｇ羽布団と３００ｇ羽布団を２段に封入し、枕の形を整える（図１  杉赤身木口面片及び羽布団を封入した安眠枕  写真）。羽布団の組み合わせで、高さを４段階に調節でき、利用者の身体に合う高さにする。
【００１４】  木口面片入り携帯用安眠枕（図２）
▲１▼［００１３］▲１▼〜▲２▼に示す方法で製作した木口面片を使用する（図２  写真）。
▲２▼枕用綿布袋及び必要な木口面片封入用綿布袋を作る（図２  枕裏面  写真）。
▲３▼枕内部の両側に木口面片２５ｇ入り用袋を縦列にそれぞれ１個を、２０ｇ入り用袋３個を中央部に縦列に縫い付ける（図２  設計図）。
▲５▼それぞれの袋に木口面片２５ｇ及び２０ｇを封入する。封入する木口面片総重量は１１０ｇである。
▲６▼枕内に羽布団を封入し枕の形を整える（図２  携帯用安眠枕  写真）。
▲７▼枕カバーに伸縮バンドを装着し、飛行機及び電車座席ヘッドレストに固定できるようにする（図２  枕カバー  写真）。
【００１５】    木口面片入り香り袋（図３）
▲１▼［００１３］▲１▼〜▲２▼に示す方法で製作した木口面片を使用する（図３  写真）
▲２▼用途に応じそれぞれ大きさの異なる布袋及びネット状袋に木口面片１５〜１５０ｇ封入する（図３  香り袋  写真）。
【実施例】
【００１６】  杉赤身木口面片４２０ｇ、９００ｇ羽布団及び３００ｇ羽布団を封入した安眠枕３０個を試作した。使用者にあわせ、羽布団の組み合わせで、高さを調節した。寝付きが悪い人、強いストレスを受けている人、病弱な人に３ヶ月間使用してもらい、意見を求めた。モニター８０％から快適な睡眠が得られるようになったとの回答を得た。
杉赤身木口面片１１０ｇと羽布団を封入した携帯用安眠枕１０個を試作し、長期出張者及び旅行者に１ヶ月間使用してもらい、意見を求めた。殆どの人から、携帯に便利で、快適な睡眠が得られたとの回答を得た。
杉赤身木口面片を封入した大きさの異なる香り袋を２０個試作し、ハンドバッグ、カバン、本箱、洋服ダンス、押し入れ、米櫃、靴箱及びブーツ内部に入れ、１月間、脱臭、防カビ、除虫、調湿効果を調べた。カバン及びブーツの内部においては、汗などの異臭は除かれ、カビは認められず、杉の香りが維持された。米櫃、洋服ダンス、靴箱及び押し入れには、害虫が侵入した形跡は認められなかった。また、布団などにも湿った形跡は認められなかった。
【産業上の利用可能性】
【００１７】  強いストレスを受けている人及び病弱な人の多くは健康な睡眠を望んでおり、安眠枕の利用価値は高いと有望視される。携帯用安眠枕は、長期出張者や毎年何十万人もの内外旅行者においては、軽便であり、利用価値は高いと考えられる。香り袋は、脱臭、除虫、防カビ及び調湿に有効であり、長期に効果を維持する。いずれも製作において技術的問題はなく、量産の可能性は大きい。
【符号の説明】
【００１８】  図１の符号：▲１▼杉赤身木口面片１１０ｇを封入した綿布袋  ▲２▼杉赤身木口面片５８ｇを封入した綿布袋  ▲３▼杉赤身木口面片８４ｇを封入した綿布袋  ▲４▼９００ｇ羽布団（１段目）  ▲５▼３００ｇ羽布団（２段目）  ▲６▼緩衝用綿布。
図２の符号；▲１▼杉赤身木口面片２５ｇを対入した綿布袋  ▲２▼杉赤身木口面片２０ｇを封入した綿布袋  ▲３▼１５０ｇ羽布団。
図３の符号：▲１▼木口面片１５ｇ入り袋（ハンドバッグ、カバン、ブーツ内に入れて使用）  ▲２▼木口面片３０ｇ入り袋（カバン、戸棚、衣類引き出し、米櫃など内に入れて使用）  ▲３▼木口面片１００ｇ入りネット袋（書籍箱、洋服ダンス、下駄箱など内部に吊して使用）  ▲４▼木口面片１５０ｇ入りネット袋（洋服ダンス、押し込みなど内に吊して使用）
【図１】
0003173933.tif 000003
【図２】
0003173933.tif 000004
【図３】
0003173933.tif 000005